(57)【要約】【課題】複数のフォトインタラプタの状態の組合せを１つのアナログデジタルコンバータで、精度よく検出することのできるフォトインタラプタ読取回路を提供する。【解決手段】マイクロコンピュータＩＣ１０１、フォトインタラプタＰＳ１０１〜ＰＳ１０３、抵抗器Ｒ１０１〜Ｒ１０５、ＴトランジスタＲ１０１は、図示のとおり接続され、フォトインタラプタ読取回路を構成する。このフォトインタラプタ読取回路により前述の課題を解決する。【選択図】図１
2007333675.tif 000002
【特許請求の範囲】
【請求項１】
複数のフォトインタラプタに内蔵されている各フォトトランジスタは各々のエミッタ端子とコレクタ端子が接続されるよう直列に接続され、これら複数のフォトトランジスタの一群で構成された回路のコレクタ側には第１抵抗器が接続され、同回路のエミッタ側は接地され、前記第１抵抗器の他端は、第２抵抗器およびトランジスタのベース端子に接続され、前記第２抵抗器の他端は基準電圧源に接続され、前記トランジスタのエミッタ端子は前記基準電圧源に接続され、前記トランジスタのコレクタ端子は第３抵抗器が接続され、前記第３抵抗器の他端は前記直列に接続されたフォトインタラプタとは独立したフォトインタラプタに内蔵されたフォトトランジスタのエミッタ端子と第４抵抗器およびアナログデジタルコンバータの入力端に接続され、前記独立したフォトインタラプタのフォトトランジスタのコレクタ端子は、第５抵抗器に接続され、前記第４抵抗器の他端は接地され、前記第５抵抗器の他端は前記基準電圧源に接続されたことを特徴とするフォトインタラプタ読取回路。
【請求項２】
複数のフォトインタラプタに内蔵されている各フォトトランジスタは各々のエミッタ端子同士とコレクタ端子同士が接続されるよう並列に接続され、これら複数のフォトトランジスタの一群で構成された回路のコレクタ側には第１抵抗器が接続され、エミッタ側は接地され、前記第１抵抗器の他端は、第２抵抗器およびトランジスタのベース端子に接続され、前記第２抵抗器の他端は基準電圧源に接続され、前記トランジスタのエミッタ端子は前記基準電圧源に接続され、前記トランジスタのコレクタ端子は第３抵抗器が接続され、前記第３抵抗器の他端は前記並列に接続されたフォトインタラプタとは独立したフォトインタラプタに内蔵されているフォトトランジスタのエミッタ端子と第４抵抗器およびアナログデジタルコンバータの入力端に接続され、前記独立したフォトインタラプタのフォトトランジスタのコレクタ端子は、第５抵抗器に接続され、前記第４抵抗器の他端は接地され、前記第５抵抗器の他端は前記基準電圧源に接続されたことを特徴とするフォトインタラプタ読取回路。
【請求項３】
請求項１に記載のフォトインタラプタ読取回路を備え、前記直列に接続された第１フォトインタラプタおよび第２フォトインタラプタにより記録用紙の搬送路上の左端および右端における記録用紙の通紙状態を検出し、前記独立したフォトインタラプタにより記録用紙の排出状態を検出し、記録用紙の通紙状態および排出状態を前記アナログデジタルコンバータにより検出することを特徴とする画像形成装置。
【発明の詳細な説明】
【技術分野】
【０００１】
本発明は、移動するシートの位置検出に好適なフォトインタラプタ読取回路、および同回路を用いた画像形成装置に関し、特にフォトインタラプタの読取精度の改善に関するものである。
【背景技術】
【０００２】
画像形成装置内に複数のフォトインタラプタが存在する場合、各々独立してフォトトランジスタのコレクタの電位をマイクロコンピュータのポートに入力して読み取る手法が用いられている。図６はその回路例である。図６においてＩＣ６０１はマイクロコンピュータであり、ＰＳ６０１〜ＰＳ６０３はフォトインタラプタである。
【０００３】
画像形成装置内ではフォトインタラプタは、特許文献１、２、３に示すように、記録用紙の有無検出、搬送された記録用紙の先端検出、記録用紙の排出状態の検出、排出された記録用紙の積載状態の検出に用いられる。その他、用紙搬送路幅に対して幅の狭い記録用紙を印字する際に、定着器の非通紙部の異常加熱を防止するため、記録用紙の幅を検出するための用紙幅検出に用いられる。このようにしてフォトインタラプタの使用数は徐々に増加している。そのためマイクロコンピュータのポート数が足りなくなる場合がある。
【０００４】
このような場合、マイクロコンピュータにアナログデジタルコンバータが備えられていれば、複数のフォトインタラプタの状態を１つのアナログデジタルコンバータで読み取ることが考えられる。図７に示す回路が複数のフォトインタラプタの状態を１つのアナログデジタルコンバータで読み取る回路である。図７の場合は３つのフォトインタラプタを１つのアナログデジタルコンバータで読み取る回路構成となっている。ＰＳ７０１〜ＰＳ７０３がフォトインタラプタであり、その状態によりアナログデジタルコンバータＩＣ７０１に入力される電位はたとえば図８のように変動する。
【特許文献１】特開２００３−２５２４６７号公報
【特許文献２】特開２００３−２７６８８５号公報
【特許文献３】特開２００３−３３０２３７号公報
【発明の開示】
【発明が解決しようとする課題】
【０００５】
しかしながら、前述の手法では、図８に示すようにフォトインタラプタの状態の違いによる電位の変化が小さく、読取精度（Ｓ／Ｎ比の値が小さい）が良くない。
【０００６】
図７に示す回路構成における電位の変化は、フォトインタラプタに並列に接続された抵抗Ｒ７０１〜Ｒ７０３の合成抵抗とプルアップ抵抗Ｒ７０４の分圧により決定されるため、合成抵抗の変動に対し反比例の関係となる。
【０００７】
したがって図７に示す回路構成の場合、遮断状態のフォトインタラプタの個数が増加すればするほど合成抵抗値は大きくなるが、電位の変化量は乏しくなりＳ／Ｎ比が悪化する。たとえば、全てのフォトインタラプタが開放（透過）状態とＰＳ７０１のみが遮断状態の電位差は０．４１Ｖあるが、ＰＳ７０１のみ開放状態と全てが遮断状態の電位差は０．１３Ｖしかない。本例においてはフォトインタラプタを直列に接続したが、並列に接続しても同じ結果である。
【０００８】
このように状態の変化に対する電位の変化量が乏しくＳ／Ｎ比が良くない場合、フォトインタラプタの検出時に発生するチャタリングやノイズの影響を受けやすくなり、マイクロコンピュータによる誤検知が発生する可能性が高くなるという問題がある。
【０００９】
またこの問題を回避するためにポート数の多いマイクロコンピュータを使用することが考えられるが、この手法ではコストアップしてしまうと共に実装基板の小型化に対して支障となるという新たな問題が発生してしまう。
【００１０】
本発明は、このような状況のもとでなされたもので、複数のフォトインタラプタの状態の組合せを、１つのアナログデジタルコンバータで精度よく検出することのできるフォトインタラプタ読取回路を提供することを課題とするものである。また、この回路を用いた画像形成装置を提供することを課題とするものである。
【課題を解決するための手段】
【００１１】
前記課題を解決するために、本発明では、フォトインタラプタ読取回路を次の（１）、（２）のとおりに構成し、画像形成装置を次の（３）のとおりに構成する。
【００１２】
（１）複数のフォトインタラプタに内蔵されている各フォトトランジスタは各々のエミッタ端子とコレクタ端子が接続されるよう直列に接続され、これら複数のフォトトランジスタの一群で構成された回路のコレクタ側には第１抵抗器が接続され、同回路のエミッタ側は接地され、前記第１抵抗器の他端は、第２抵抗器およびトランジスタのベース端子に接続され、前記第２抵抗器の他端は基準電圧源に接続され、前記トランジスタのエミッタ端子は前記基準電圧源に接続され、前記トランジスタのコレクタ端子は第３抵抗器が接続され、前記第３抵抗器の他端は前記直列に接続されたフォトインタラプタとは独立したフォトインタラプタに内蔵されたフォトトランジスタのエミッタ端子と第４抵抗器およびアナログデジタルコンバータの入力端に接続され、前記独立したフォトインタラプタのフォトトランジスタのコレクタ端子は、第５抵抗器に接続され、前記第４抵抗器の他端は接地され、前記第５抵抗器の他端は前記基準電圧源に接続されたフォトインタラプタ読取回路。
【００１３】
（２）複数のフォトインタラプタに内蔵されている各フォトトランジスタは各々のエミッタ端子同士とコレクタ端子同士が接続されるよう並列に接続され、これら複数のフォトトランジスタの一群で構成された回路のコレクタ側には第１抵抗器が接続され、エミッタ側は接地され、前記第１抵抗器の他端は、第２抵抗器およびトランジスタのベース端子に接続され、前記第２抵抗器の他端は基準電圧源に接続され、前記トランジスタのエミッタ端子は前記基準電圧源に接続され、前記トランジスタのコレクタ端子は第３抵抗器が接続され、前記第３抵抗器の他端は前記並列に接続されたフォトインタラプタとは独立したフォトインタラプタに内蔵されているフォトトランジスタのエミッタ端子と第４抵抗器およびアナログデジタルコンバータの入力端に接続され、前記独立したフォトインタラプタのフォトトランジスタのコレクタ端子は、第５抵抗器に接続され、前記第４抵抗器の他端は接地され、前記第５抵抗器の他端は前記基準電圧源に接続されたフォトインタラプタ読取回路。
【００１４】
（３）前記（１）に記載のフォトインタラプタ読取回路を備え、前記直列に接続された第１フォトインタラプタおよび第２フォトインタラプタにより記録用紙の搬送路上の左端および右端における記録用紙の通紙状態を検出し、前記独立したフォトインタラプタにより記録用紙の排出状態を検出し、記録用紙の通紙状態および排出状態を前記アナログデジタルコンバータにより検出する画像形成装置。
【発明の効果】
【００１５】
本発明によれば、複数のフォトインタラプタの状態の組合せを１つのアナログデジタルコンバータで、精度よく（Ｓ／Ｎ比の値が大きく読み取り精度が良い状態で）検出することが可能となる。このためマイクロコンピュータのポート数を増やす必要も無くなる。
【発明を実施するための最良の形態】
【００１６】
以下、本発明を実施するための最良の形態を、フォトインタラプタ読取回路および画像形成装置の実施例により詳しく説明する。
【実施例１】
【００１７】
図１は、実施例１である“フォトインタラプタ読取回路”の構成を示す回路図である。本実施例は、複数（本実施例では２個）のフォトインタラプタを直列接続した回路を有するフォトインタラプタ読取回路である。
【００１８】
本フォトインタラプタ読取回路は、アナログデジタルコンバータを備えたマイクロコンピュータＩＣ１０１、フォトインタラプタＰＳ１０１、ＰＳ１０２、ＰＳ１０３、トランジスタＴＲ１０１、抵抗器Ｒ１０１、Ｒ１０２、Ｒ１０３、Ｒ１０４、Ｒ１０５、基準電圧源Ｖｃｃ（基準電圧Ｖｃｃの電圧源）より構成される。
【００１９】
まず、本実施例のフォトインタラプタ読取回路の接続関係を説明する。フォトインタラプタＰＳ１０１とＰＳ１０２に内蔵されたフォトトランジスタは各々のエミッタ端子とコレクタ端子が接続されるよう直列に接続され、これら複数のフォトトランジスタの一群で構成された回路のコレクタ側には抵抗器Ｒ１０１が接続される。同回路のエミッタ側は接地されている。抵抗器Ｒ１０１の他端は、抵抗器Ｒ１０２およびトランジスタＴＲ１０１のベース端子に接続されている。抵抗器Ｒ１０２の他端および前記トランジスタＴＲ１０１のエミッタ端子は基準電圧源Ｖｃｃに接続されている。トランジスタＴＲ１０１のコレクタ端子は抵抗器Ｒ１０３が接続される。抵抗器Ｒ１０３の他端は、前記直列接続されたフォトインタラプタとは別のフォトインタラプタＰＳ１０３に内蔵されたフォトトランジスタのエミッタ端子と抵抗器Ｒ１０４およびアナログデジタルコンバータの入力端に接続され、抵抗器Ｒ１０４の他端は接地されている。フォトインタラプタＰＳ１０３のフォトトランジスタのコレクタ端子は、抵抗器Ｒ１０５に接続され、抵抗器Ｒ１０５の他端は基準電圧源Ｖｃｃに接続されている。
【００２０】
次に、本実施例のフォトインタラプタ読取回路の動作を説明する。
フォトインタラプタＰＳ１０１、ＰＳ１０２が、いずれも内蔵されているフォトダイオードからの光が遮断されている状態では、フォトインタラプタＰＳ１０１、ＰＳ１０２に内蔵されたフォトトランジスタはいずれもオフ状態となる。よってトランジスタＴＲ１０１はオフ状態になる。またフォトインタラプタＰＳ１０１、ＰＳ１０２のどちらか一方のみが、内蔵されているフォトダイオードからの光が透過されている状態でも、トランジスタＴＲ１０１はオフ状態になる。
【００２１】
一方、フォトインタラプタＰＳ１０１、ＰＳ１０２が、いずれも内蔵されているフォトダイオードからの光が透過されている状態では、フォトインタラプタＰＳ１０１、ＰＳ１０２に内蔵されたフォトトランジスタはいずれもオン状態となる。よってトランジスタＴＲ１０１はオン状態になる。
【００２２】
前述の動作状態のうち、トランジスタＴＲ１０１がオフ状態で、フォトインタラプタＰＳ１０３が、内蔵されているフォトダイオードからの光が遮断されている状態では、内蔵されたフォトトランジスタはオフ状態になる。よって、マイクロコンピュータＩＣ１０１の入力電圧は、抵抗器Ｒ１０４でプルダウンされた状態なので０Ｖとなる。
【００２３】
またトランジスタＴＲ１０１がオフ状態で、フォトインタラプタＰＳ１０３が、内蔵されているフォトダイオードからの光が透過されている状態では、内蔵されたフォトトランジスタはオン状態になる。よって、マイクロコンピュータＩＣ１０１の入力電圧は、抵抗器Ｒ１０４とＲ１０５で基準電圧Ｖｃｃを分圧した電圧となる。
【００２４】
一方、前記動作状態のうちトランジスタＴＲ１０１がオン状態で、フォトインタラプタＰＳ１０３が、内蔵されているフォトダイオードからの光が遮断されている状態では、内蔵されたフォトトランジスタはオフ状態になる。よって、マイクロコンピュータＩＣ１０１の入力電圧は、抵抗器Ｒ１０４とＲ１０３で基準電圧Ｖｃｃを分圧した電圧となる。
【００２５】
また、トランジスタＴＲ１０１がオン状態で、フォトインタラプタＰＳ１０３が、内蔵されているフォトダイオードからの光が透過されている状態では、内蔵されたフォトトランジスタはオン状態になる。よって、マイクロコンピュータＩＣ１０１の入力電圧は、抵抗器Ｒ１０４と、抵抗器Ｒ１０３とＲ１０５を並列接続した合成抵抗とで基準電圧Ｖｃｃを分圧した電圧となる。
【００２６】
図２は、本実施例のフォトインタラプタ読取回路における各フォトインタラプタの状態に対するマイクロコンピュータの入力電圧の変化を表す図である。なお図２の入力電圧の変化は、回路に使用している各抵抗器の抵抗値を、Ｒ１０１＝４７０ｋΩ、Ｒ１０２＝１００ｋΩ、Ｒ１０３＝２００ｋΩ、Ｒ１０４＝１０ｋΩ、Ｒ１０５＝１００ｋΩ
基準電圧をＶｃｃ＝２４Ｖとした場合のものである。
【００２７】
以上説明したように、本実施例では、２個のフォトインタラプタのそれぞれに内蔵されている各フォトトランジスタが各々のエミッタ端子とコレクタ端子が接続されるよう直列に接続する。これにより、この２個のフォトインタラプタからなる回路のコレクタ側の電位の状態が論理積で表せられるようにして、３個のフォトインタラプタの状態の組合せを１つのアナログデジタルコンバータで、精度よく（Ｓ／Ｎ比の値が大きく読み取り精度が良い状態で）検出することが可能となる。
【００２８】
なお、前記状態の組合せの検出例は、後述の実施例３で説明する。
【実施例２】
【００２９】
図３は、実施例２である“フォトインタラプタ読取回路”の構成を示す回路図である。本実施例は、複数（本実施例では２個）のフォトインタラプタを並列接続した回路を有するフォトインタラプタ読取回路である。
【００３０】
本フォトインタラプタ読取回路は、アナログデジタルコンバータを備えたマイクロコンピュータＩＣ３０１、フォトインタラプタＰＳ３０１〜ＰＳ３０３、トランジスタＴＲ３０１、抵抗器Ｒ３０１〜Ｒ３０５、基準電圧源Ｖｃｃより構成される。
【００３１】
まず、本フォトインタラプタ読取回路の接続関係を説明する。
フォトインタラプタＰＳ３０１とＰＳ３０２に内蔵されたフォトトランジスタは各々のエミッタ端子同士とコレクタ端子同士が接続されるよう直列に接続される。これら複数のフォトインタラプタの一群で構成された回路のコレクタ側には抵抗器Ｒ３０１が接続され、エミッタ側は接地されている。前記抵抗器Ｒ３０１の他端は、抵抗器Ｒ３０２およびトランジスタＴＲ３０１のベース端子に接続されている。前記抵抗器Ｒ３０２の他端および前記トランジスタＴＲ３０１のエミッタ端子は基準電圧源Ｖｃｃに接続されている。前記トランジスタＴＲ３０１のコレクタ端子は抵抗器Ｒ３０３が接続され、抵抗器Ｒ３０３の他端は、前記並列接続されたフォトインタラプタとは別のフォトインタラプタＰＳ３０３のフォトトランジスタのエミッタ端子と接続される。エミッタ端子は、抵抗器Ｒ３０４およびアナログデジタルコンバータの入力端に接続され、抵抗器Ｒ３０４の他端は接地されている。前記フォトインタラプタＰＳ３０３のフォトトランジスタのコレクタ端子は、抵抗器Ｒ３０５に接続され、抵抗器Ｒ３０５の他端は基準電圧源Ｖｃｃに接続されている。
【００３２】
次に、本実施例のフォトインタラプタ読取回路の動作を説明する。
フォトインタラプタＰＳ３０１、ＰＳ３０２が、いずれも内蔵されているフォトダイオードからの光が遮断されている状態では、フォトインタラプタＰＳ３０１、ＰＳ３０２に内蔵されたフォトトランジスタはいずれもオフ状態となる。よって、トランジスタＴＲ３０１はオフ状態になる。
【００３３】
一方、フォトインタラプタＰＳ３０１、ＰＳ３０２が、いずれも内蔵されているフォトダイオードからの光が透過されている状態では、両方のフォトトランジスタがオン状態となり、トランジスタＴＲ３０１はオン状態になる。
またはフォトインタラプタＰＳ３０１、ＰＳ３０２のどちらか一方のみが、内蔵されているフォトダイオードからの光が透過されている状態では、フォトインタラプタＰＳ３０１、ＰＳ３０２に内蔵されたフォトトランジスタは一方はオン状態となる。よって、トランジスタＴＲ３０１はオン状態になる。
【００３４】
前記動作状態のうちトランジスタＴＲ３０１がオフ状態で、フォトインタラプタＰＳ３０３が、内蔵されているフォトダイオードからの光が遮断されている状態では、内蔵されたフォトトランジスタはオフ状態になる。よって、マイクロコンピュータＩＣ３０１の入力電圧は、抵抗器Ｒ３０４でプルダウンされた状態なり０Ｖとなる。またフォトインタラプタＰＳ３０３が、内蔵されているフォトダイオードからの光が透過されている状態では、内蔵されたフォトトランジスタはオン状態になる。よって、マイクロコンピュータＩＣ３０１の入力電圧は、抵抗器Ｒ３０４とＲ３０５で基準電圧Ｖｃｃを分圧した電圧となる。
【００３５】
一方、前記動作状態のうちトランジスタＴＲ３０１がオン状態で、フォトインタラプタＰＳ３０３が、内蔵されているフォトダイオードからの光が遮断されている状態では、内蔵されたフォトトランジスタはオフ状態になる。よって、マイクロコンピュータＩＣ３０１の入力電圧は、抵抗器Ｒ３０４とＲ３０３で基準電圧Ｖｃｃを分圧した電圧となる。
また、前記動作状態のうちトランジスタＴＲ３０１がオン状態で、フォトインタラプタＰＳ３０３が、内蔵されているフォトダイオードからの光が透過されている状態では、内蔵されたフォトトランジスタはオン状態になる。よって、マイクロコンピュータＩＣ３０１の入力電圧は、抵抗器Ｒ３０４と、抵抗器Ｒ３０３とＲ３０５を並列接続した合成抵抗とで基準電圧Ｖｃｃを分圧した電圧となる。
【００３６】
図４は、本実施例のフォトインタラプタ読取回路における各フォトインタラプタの状態に対するマイクロコンピュータの入力電圧の変化を表す図である。なお図４の入力電圧の変化は、回路に使用している各抵抗器の抵抗値を、Ｒ３０１＝４７０ｋΩ、Ｒ３０２＝１００ｋΩ、Ｒ３０３＝２００ｋΩ、Ｒ３０４＝１０ｋΩ、Ｒ３０５＝１００ｋΩ、基準電圧をＶｃｃ＝２４Ｖとした場合のものである。
【００３７】
以上説明したように、本実施例では、２個のフォトインタラプタに内蔵されている各フォトトランジスタを並列に接続する。これにより、この２個のフォトインタラプタからなる回路のコレクタ側の電位の状態が論理和で表せられるようにして、実施例１と同様に、３個のフォトインタラプタの状態の組合せを１つのアナログデジタルコンバータで、精度よく検出することが可能となる。
【実施例３】
【００３８】
実施例３である“画像形成装置”について説明する。
図５は、本実施例の要部を示す図である。すなわち、実施例１のフォトインタラプタ読取回路を画像形成装置において使用した例である。
【００３９】
本実施例では、フォトインタラプタＰＳ１０１を用紙搬送路５１の左端側に設置、フォトインタラプタＰＳ２を用紙搬送路５１の右端側に設置、フォトインタラプタＰＳ３を記録用紙の排紙部５２に設置している。なおフォトインタラプタＰＳ１０１とフォトインタラプタＰＳ１０２は、用紙搬送路５１中央から対称の位置に、所定距離（この距離をＷとする）離れて設置されている。また各フォトインタラプタは、不図示のメカニカルフラグにより、定常時は内蔵されたフォトダイオードの光が遮断され、内蔵されたフォトトランジスタはオフ状態となる。また、記録用紙５３〜５５を検出した時はメカニカルフラグが光路から排除されて内蔵されたフォトダイオードの光が透過し、内蔵されたフォトトランジスタはオン状態となる。
【００４０】
記録用紙５４の幅が距離Ｗより狭い場合（図５（ｂ））、定着器内の記録用紙５４が通過しない部分では記録用紙５４に熱が奪われることがないため、所定の定着温度を超えた異常加熱状態に陥る可能性がある。また記録用紙５５の幅が距離Ｗより広くなくても記録用紙５５を用紙搬送路５１の左右いずれかに片寄せて通紙した場合（図５（ｃ））には、同様に異常加熱状態に陥る可能性がある。そこで、フォトインタラプタＰＳ１０１、ＰＳ１０２を用いて記録用紙５３〜５５の通紙状態を検出して、通紙状態に応じて定着器の温調制御や通紙制御を適正化することにより定着器が異常過熱状態に陥ることを防止する。
【００４１】
記録用紙５３の幅が距離Ｗより広い場合（図５（ａ））におけるマイクロコンピュータＩＣ１０１の入力電圧を、記録用紙５３の位置に関し順次説明する。
【００４２】
記録用紙５３が通紙開始されるとフォトインタラプタＰＳ１０１、ＰＳ１０２ともに内蔵されたフォトトランジスタはオン状態となり、フォトインタラプタＰＳ１０３は内蔵されたフォトトランジスタはオフ状態のままとなる。このときのマイクロコンピュータＩＣ１０１の入力電圧は抵抗器Ｒ１０３とＲ１０４で基準電圧Ｖｃｃを分圧した電圧Ｖ１（１．１６Ｖ、図２参照）となる。
【００４３】
次に記録用紙５３が排紙部５２に到達すると記録用紙が排出されるまではフォトインタラプタＰＳ１０１〜１０３に内蔵されたフォトトランジスタはオン状態となる。このときのマイクロコンピュータＩＣ１０１の入力電圧は、抵抗器Ｒ１０４と、抵抗器Ｒ１０３とＲ１０５を並列接続した合成抵抗とで基準電圧Ｖｃｃを分圧した電圧Ｖ２（３。１６Ｖ）となる。
【００４４】
次に記録用紙５３がフォトインタラプタＰＳ１、ＰＳ２を通過すると、フォトインタラプタＰＳ１０３に内蔵されたフォトトランジスタはオン状態で、フォトインタラプタＰＳ１０１、ＰＳ１０２ともに内蔵されたフォトトランジスタはオフ状態となる。このときのマイクロコンピュータＩＣ１０１の入力電圧は抵抗器Ｒ１０４とＲ１０５で基準電圧を分圧した電圧Ｖ３（２．２１Ｖ）となる。
【００４５】
その後記録用紙５３が機外に排出されると、フォトインタラプタＰＳ１０１、ＰＳ１０２、ＰＳ１０３ともに内蔵されたフォトトランジスタはオフ状態となり、このときのマイクロコンピュータＩＣ１０１の入力電圧はＶ０（０Ｖ）となる。
【００４６】
つまり給紙開始から排出完了までのマイクロコンピュータＩＣ１０１の入力電圧は、Ｖ０→Ｖ１→Ｖ２→Ｖ３→Ｖ０（０Ｖ→１．１６Ｖ→３．１６Ｖ→２．２１Ｖ→０Ｖ）と変化する。
【００４７】
一方、記録用紙５４の幅が距離Ｗより狭い場合（図５（ｂ））、および記録用紙５５を用紙搬送路５１の左右いずれかに片寄せて通紙した場合（図５（ｃ））におけるマイクロコンピュータＩＣ１０１の入力電圧を、記録用紙５４、５５の位置に関し順次説明する。
【００４８】
記録用紙５４、５５が通紙開始されると、フォトインタラプタＰＳ１０１、ＰＳ１０２の少なくともいずれかに内蔵されたフォトトランジスタはオフ状態となり、フォトインタラプタＰＳ１０３は内蔵されたフォトトランジスタはオフ状態のままとなる。よって、このときのマイクロコンピュータＩＣ１０１の入力電圧はＶ０（０Ｖ）となる。
【００４９】
次に記録用紙５４、５５が排紙部５２に到達すると、記録用紙５４、５５が排出されるまではフォトインタラプタＰＳ１０３に内蔵されたフォトトランジスタはオン状態となる。このときのマイクロコンピュータＩＣ１０１の入力電圧は抵抗器Ｒ１０４とＲ１０５で基準電圧Ｖｃｃを分圧した電圧Ｖ３（２．２１Ｖ）となる。
【００５０】
次に記録用紙５４、５５がフォトインタラプタＰＳ１０１、ＰＳ１０２の位置を通過すると、フォトインタラプタＰＳ１０１、ＰＳ１０２ともに内蔵されたフォトトランジスタはオフ状態となる。このときのマイクロコンピュータＩＣ１０１の入力電圧は抵抗器Ｒ１０４とＲ１０５で基準電圧を分圧した電圧Ｖ３（２．２１Ｖ）となる。
【００５１】
その後記録用紙５４、５５が機外に排出されると、フォトインタラプタＰＳ１０１、ＰＳ１０２、ＰＳ１０３ともに内蔵されたフォトトランジスタはオフ状態となり、このときのマイクロコンピュータＩＣ１０１の入力電圧はＶ０（０Ｖ）となる。
【００５２】
つまり給紙開始から排出完了までのマイクロコンピュータＩＣ１０１の入力電圧は、Ｖ０→Ｖ０→Ｖ３→Ｖ３→Ｖ０（０Ｖ→０Ｖ→２．２１Ｖ→２．２１Ｖ→０Ｖ）と変化する。
【００５３】
以上説明したように、本実施例によれば、通紙開始からの、アナログデジタルコンバータの入力電圧変化によって記録用紙の通紙状態および排出状態を、精度よく検出することができる。よって、通紙状態に応じて定着器の温調制御や通紙制御を適正化して定着器が異常過熱状態に陥ることを防止することが可能となる。
【図面の簡単な説明】
【００５４】
【図１】実施例１のフォトインタラプタ読取回路の回路図
【図２】実施例１のフォトインタラプタ読取回路における各フォトインタラプタの状態に対するマイクロコンピュータの入力電圧の変化を表す図
【図３】実施例２のフォトインタラプタ読取回路の回路図
【図４】実施例２のフォトインタラプタ読取回路における各フォトインタラプタの状態に対するマイクロコンピュータの入力電圧の変化を表す図
【図５】実施例３の画像形成装置の要部説明図
【図６】従来の、複数のフォトインタラプタの状態をマイクロコンピュータのポートに入力して読み取る回路を示す図
【図７】従来の、複数のフォトインタラプタの状態を１つのアナログデジタルコンバータで読み取る回路を示す図
【図８】図７の回路におけるアナログデジタルコンバータに入力される電位変動を表す図
【符号の説明】
【００５５】
ＩＣ１０１    マイクロコンピュータ
ＰＳ１０１    フォトインタラプタ
ＰＳ１０２    フォトインタラプタ
ＰＳ１０３    フォトインタラプタ
Ｒ１０１      抵抗器
Ｒ１０２      抵抗器
Ｒ１０３      抵抗器
Ｒ１０４      抵抗器
Ｒ１０５      抵抗器
ＴＲ１０１    トランジスタ
【図１】
2007333675.tif 000003
【図２】
2007333675.tif 000004
【図３】
2007333675.tif 000005
【図４】
2007333675.tif 000006
【図５】
2007333675.tif 000007
【図６】
2007333675.tif 000008
【図７】
2007333675.tif 000009
【図８】
2007333675.tif 000010